(57)【要約】      （修正有）【課題】清潔で且つコスト安で、折りたたみが可能な小水排泄容器の提供。【解決手段】１枚の防水性厚紙を切り抜き中空の四角柱形状の容器に組み立てて、その接合個所を漏水防止状態に密着して形成された小水排泄用紙容器本体１０がある。この容器本体１０の上部又はその上部付近に開口部がある。１枚の防水性厚紙を切り抜き長方形状の筒に組み立てて、その接合個所を漏水防止状態に密着して形成され排泄小水放尿紙筒２００がある。この放尿紙筒２０は、上記の開口部に漏水防止状態に密着接合されている。そして折り畳むことが可能である。【選択図】図１０
2007105276.tif 000002
【特許請求の範囲】
【請求項１】
１枚の防水性厚紙を切り抜き中空の四角柱形状の容器に組み立ててその接合個所を漏水防止状態に密着して形成されたものであってその上部又はその上部付近に開口部を有するものであり且つその左側面と右側面の両側面に有する内側方向に折り畳み込むための折り曲げ線であってその左側面と右側面の両側面のそれぞれの前方端部と後方端部の端部辺の個所を底辺としたそれぞれの２等辺三角形状の折り曲げ線とそれぞれ前後に向かい合った三角形の頂点を結ぶそれぞれの折り曲げ線から成りさらに上記のそれぞれの２等辺三角形状の折り曲げ線のそれぞれの三角形の頂点から垂直に上方端又は下方端にそれぞれに伸びているものであって外側方向に折るための折り曲げ線がありそしてその小水排泄用紙容器本体の上面又は下面にその両端面を折り畳み込むためのものであって上記のそれぞれの三角形の頂点から伸びた垂直の折り曲げ線の先端からそれぞれに水平方向に伸びた折り曲げ線を有しその上にこの中空の四角柱形状の容器にはそれぞれの面が結合する個所の全ての辺に設けられた内側方向に折るための折り曲げ線が設けてある小水排泄用紙容器本体、該小水排泄用紙容器本体の開口部に漏水防止状態に密着接合されるものであって１枚の防水性厚紙を切り抜き長方形状の筒に組み立ててその接合個所を漏水防止状態に密着して形成されたものであり且つその筒の左側面と右側面の両側面に有するものであってその筒を内側又は外側方向に折り畳み込むための折り曲げ線であってその筒のそれぞれの側面の上記の小水排泄用紙容器本体に結合する個所をそれぞれに底辺としたそれぞれの２等辺三角形状の線とその筒のそれぞれの三角形の頂点から水平に伸びるそれぞれの折り曲げ線から成りさらに上記の筒のそれぞれの２等辺三角形状の折り曲げ線のそれぞれの三角形の頂点から垂直に上方端又は下方端にそれぞれに伸びているものであって外側方向に折るための折り曲げ線がありそしてその筒の上面又は下面にその筒を折り畳み込むためのものであって上記の筒のそれぞれの三角形の頂点から伸びた垂直の折り曲げ線の先端からそれぞれに水平方向に伸びた折り曲げ線を有しその上にこの筒にはそれぞれの面が結合する個所の全ての辺に設けられた内側方向に折るための折り曲げ線とさらにこの長方形状の筒の上記の小水排泄容器本体の開口部との接合個所に設けられた外側方向に折るための折り曲げ線が設けてある排泄小水放尿紙筒、より構成されることを特徴とした病床等にて使用される携帯可能な折りたたみタイプの厚紙製小水排泄用容器。
【請求項２】
１枚の防水性厚紙を切り抜き中空の四角柱形状の容器に組み立てられてその接合個所を漏水防止状態に密着して形成されるものであってその上部又はその上部付近に開口部を有するように形状づけられその接合個所に密着漏水防止接合用ののりしろが設けられ且つその左側面と右側面の両側面に有する内側方向に折り畳み込むための折り曲げ線であってその左側面と右側面の両側面のそれぞれの前方端部と後方端部の端部辺の個所を底辺としたそれぞれの２等辺三角形状の折り曲げ線とそれぞれ前後に向かい合った三角形の頂点を結ぶそれぞれの折り曲げ線から成りさらに上記のそれぞれの２等辺三角形状の折り曲げ線のそれぞれの三角形の頂点から垂直に上方端又は下方端にそれぞれに伸びている外側方向に折るための折り曲げ線がありそしてその小水排泄用紙容器本体の上面又は下面にその両端面を外側方向に折り畳み込むための折り曲げ線が水平方向に伸びていてそして上記のそれぞれの三角形の頂点から伸びた垂直の折り曲げ線の先端からそれぞれに伸びておりその上にこの中空の四角柱形状の容器にはそれぞれの面が結合する個所の全ての辺に設けられた内側方向に折るための折り曲げ線が設けてある小水排泄用紙容器本体、該小水排泄用紙容器本体の開口部に漏水防止状態に密着接合されるものであって１枚の防水性厚紙を切り抜き長方形状の筒に組み立ててその接合個所を漏水防止状態に密着して形成されたものであり且つその筒の左側面と右側面の両側面に有するものであってその筒を内側又は外側方向に折り畳み込むための折り曲げ線であってその筒のそれぞれの側面の上記の小水排泄用紙容器本体に結合する個所をそれぞれに底辺としたそれぞれの２等辺三角形状の線とその筒のそれぞれの三角形の頂点から水平に伸びるそれぞれの折り曲げ線から成りさらに上記の筒のそれぞれの２等辺三角形状の折り曲げ線のそれぞれの三角形の頂点から垂直に上方端又は下方端にそれぞれに伸びているものであって外側方向に折るための折り曲げ線がありそしてその筒の上面又は下面にその筒を折り畳み込むためのものであって上記の筒のそれぞれの三角形の頂点から伸びた垂直の折り曲げ線の先端からそれぞれに水平方向に伸びた折り曲げ線を有しその上にこの筒にはそれぞれの面が結合する個所の全ての辺に設けられた内側方向に折るための折り曲げ線とさらにこの長方形状の筒の上記の小水排泄容器本体の開口部との接合個所に設けられた外側方向に折るための折り曲げ線が設けてある排泄小水放尿紙筒の紙筒型紙、より構成されることを特徴とした病床等にて使用される携帯可能な折りたたみタイプの厚紙製小水排泄用容器の型紙。
【発明の詳細な説明】
【技術分野】
【０００１】
本発明は、広くは医療用具に関するものであり、特に病床等において使用される排泄用の医療用具に関するものである。就中、紙製の使い捨てが可能な小水排泄用容器に関するものである。一方、本発明は携帯用の小水排泄容器として、高速道路でのドライブ中の渋滞時にも使用可能な容器に使用可能なものでもある。
【背景技術】
【０００２】
従来、しゅ瓶と呼ばれる小水排泄用容器は、そのほとんどが瓶製のものであった。これに対して、プラスチック製のものも登場した。また、パルプモールド製のものもある。ただし、携帯に便利な、折り畳み式のものはない。
【特許文献１】特開昭４８−４１６３５
【特許文献２】特開２００２−１０２１１１
【特許文献３】実開昭５４−１００４９９
【発明の開示】
【発明が解決しようとする課題】
【０００３】
しかして、本願発明が解決しようとする問題点は、従来のガラス製のものは使用するにしたがって尿酸などの汚れがそのガラスにこびりつき不潔になる。また、その容器は通常１度程度の病気に使用するものであるから、その病気が治ればその再度の使用ということはそれ程あるものではない。それ故に、その容器は、邪魔になって捨ててしまい不経済である。特に、その瓶のガラスを他の瓶容器に使用することはできないので、リサイクルすることは不可能である。そして、病院でのその容器の使用は、通常は他の患者が使用したものを使用するのであるから、これも不快感が生じてしまう。一方、プラスチック製のものは、その廃棄物の処理による環境問題が生じる。また、パルプモールド製のものはその型代が大変に高くて、これも大きな問題となる。
【０００４】
そこで、この  小水排泄用容器を防水性の厚紙で作成したものを発明して、平成１７年１０月７日に特許出願をした（特願２００５−２９４６８３）。ただし、この発明は、組み立てられたものは立体形状のままであるゆえにかさばってしまう。ｄｔｄｗ＜この製品は紙製なので、丁度デパートなどの紙袋の様に小水排泄用容器紙に折り曲げ線を入れると、その容器は折りたたみができる様になる。それで、折り畳んだその容器の運搬や保管に便利であるばかりか、携帯ができるのでその用途は広がる。
【課題を解決するための手段】
【０００５】
本発明にかかる病床等にて使用される携帯可能な折りたたみタイプの厚紙製小水排泄用容器と厚紙製小水排泄用容器の型紙は、以上の課題を解決するために、その小水排泄用容器を使い捨てが可能な紙製のものにした。
【０００６】
以下に、本発明にかかる病床等にて使用される携帯可能な折りたたみタイプの厚紙製小水排泄用容器と厚紙製小水排泄用容器の型紙の具体的な構成を詳細に記載する。最初に、本発明の請求項１に記載した発明の病床等にて使用される携帯可能な折りたたみタイプの厚紙製小水排泄用容器の構成を説明する。この発明は、まず、小水排泄用紙容器本体がある。この小水排泄用紙容器本体は、１枚の防水性厚紙を切り抜き中空の四角柱形状の容器に組み立てて、その接合個所を漏水防止状態に密着して形成されたものである。そして、その上部又はその上部付近に開口部を有するものである。
【０００７】
さらに、この小水排泄用紙容器本体には、その左側面と右側面の両側面に内側方向に折り畳み込むための折り曲げ線がある。この内側方向に折り畳み込むための折り曲げ線は、その左側面と右側面の両側面のそれぞれの前方端部と後方端部の端部辺の個所を底辺としたそれぞれの２等辺三角形状の折り曲げ線とそれぞれ前後に向かい合った三角形の頂点を結ぶそれぞれの折り曲げ線から成っている。さらに、その左側面と右側面の両側面に外側方向に折るための折り曲げ線がある。この外側方向に折るための折り曲げ線は、上記のそれぞれの２等辺三角形状の折り曲げ線のそれぞれの三角形の頂点から垂直に上方端又は下方端にそれぞれに伸びているものである。そして、その小水排泄用紙容器本体の上面又は下面にその両端面を外側方向に折り畳み込むための折り曲げ線が水平方向に伸びている。この水平方向の折り曲げ線は、上記のそれぞれの三角形の頂点から伸びた垂直の折り曲げ線の先端からそれぞれに伸びているものである。その上に、この中空の四角柱形状の容器には、それぞれの面が結合する個所の全ての辺に設けられた内側方向に折るための折り曲げ線がある。
【０００８】
そして、排泄小水放尿紙筒がある。この排泄小水放尿紙筒は、上記の小水排泄用紙容器本体の開口部に漏水防止状態に密着接合されるものであって、１枚の防水性厚紙を切り抜き長方形状の筒に組み立てて、その接合個所を漏水防止状態に密着して形成されたものである。
【０００９】
さらに、この排泄小水放尿紙筒は、その左側面と右側面の両側面に内側方向に折り畳み込むための折り曲げ線がある。この折り曲げ線は、それぞれの側面の上記の小水排泄用紙容器本体に結合する個所をそれぞれに底辺としたそれぞれの２等辺三角形状の線から成り、そしてそれぞれの三角形の頂点からその側面の伸びる水平方向に平行して伸びるそれぞれの折り曲げ線から成る。さらに、その筒の左側面と右側面の両側面に外側方向に折るための折り曲げ線がある。この外側方向に折るための折り曲げ線は、上記の筒のそれぞれの２等辺三角形状の折り曲げ線のそれぞれの三角形の頂点から垂直に上方端又は下方端にそれぞれに伸びているものである。
【００１０】
そして、その排泄小水放尿紙筒の上面又は下面にその両端面を外側方向に折り畳み込むための折り曲げ線が水平方向に伸びている。この水平方向の折り曲げ線は、上記の筒のそれぞれの三角形の頂点から伸びた垂直の折り曲げ線の先端から水平に伸びているものである。その上に、この長方形状の筒には、それぞれの面が結合する個所の全ての辺に設けられた内側方向に折るための折り曲げ線が有る。さらに、この長方形状の筒の上記の小水排泄容器本体の開口部との接合個所には、外側方向に折るための折り曲げ線が有る。
【００１１】
つぎに、本発明にかかる病床等にて使用される携帯可能な折りたたみタイプの厚紙製小水排泄用容器と厚紙製小水排泄用容器の型紙の請求項２に記載した発明の病床等にて使用される携帯可能な折りたたみタイプの厚紙製小水排泄用容器の型紙の構成を説明する。この発明は、まず、小水排泄用紙容器本体の本体型紙がある。この小水排泄用紙容器本体の本体型紙は、１枚の防水性厚紙を切り抜き中空の四角柱形状の容器に組み立てられて、その接合個所を漏水防止状態に密着して形成されるものであって、その上部又はその上部付近に開口部を有するように形状づけられ、その接合個所に密着漏水防止接合用ののりしろが設けられたものである。
【００１２】
さらに、この小水排泄用紙容器本体には、その左側面と右側面の両側面に内側方向に折り畳み込むための折り曲げ線がある。この内側方向に折り畳み込むための折り曲げ線は、その左側面と右側面の両側面のそれぞれの前方端部と後方端部の端部辺の個所を底辺としたそれぞれの２等辺三角形状の折り曲げ線とそれぞれ前後に向かい合った三角形の頂点を結ぶそれぞれの折り曲げ線から成っている。
【００１３】
しかして、その左側面と右側面の両側面に外側方向に折るための折り曲げ線がある。この外側方向に折るための折り曲げ線は、上記のそれぞれの２等辺三角形状の折り曲げ線のそれぞれの三角形の頂点から垂直に上方端又は下方端にそれぞれに伸びているものである。そして、その小水排泄用紙容器本体の上面又は下面にその両端面を外側方向に折り畳み込むための折り曲げ線が水平方向に伸びている。この水平方向の折り曲げ線は、上記のそれぞれの三角形の頂点から伸びた垂直の折り曲げ線の先端からそれぞれに伸びているものである。その上に、この中空の四角柱形状の容器には、それぞれの面が結合する個所の全ての辺に設けられた内側方向に折るための折り曲げ線がある。
【００１４】
そして、排泄小水放尿紙筒の紙筒型紙がある。この排泄小水放尿紙筒の紙筒型紙は、上記の小水排泄用紙容器本体の本体型紙の開口部に漏水防止状態に密着接合されるものであって、１枚の防水性厚紙を切り抜き長方形状の筒に組み立てられて、その接合個所を漏水防止状態に密着して形成されるように形状づけられ、その接合個所に密着漏水防止接合用ののりしろが設けられたものである。
【００１５】
さらに、この排泄小水放尿紙筒は、その左側面と右側面の両側面に内側方向に折り畳み込むための折り曲げ線がある。この折り曲げ線は、それぞれの側面の上記の小水排泄用紙容器本体に結合する個所をそれぞれに底辺としたそれぞれの２等辺三角形状の線から成り、そしてその筒のそれぞれの三角形の頂点からその側面の伸びる水平方向に平行して伸びるそれぞれの折り曲げ線から成る。さらに、その筒の左側面と右側面の両側面に外側方向に折るための折り曲げ線がある。この外側方向に折るための折り曲げ線は、上記の筒のそれぞれの２等辺三角形状の折り曲げ線のそれぞれの三角形の頂点から垂直に上方端又は下方端にそれぞれに伸びているものである。
【００１６】
そして、その排泄小水放尿紙筒の上面又は下面にその両端面を外側方向に折り畳み込むための折り曲げ線が水平方向に伸びている。この水平方向の折り曲げ線は、上記の筒のそれぞれの三角形の頂点から伸びた垂直の折り曲げ線の先端から水平に伸びているものである。その上に、この長方形状の筒には、それぞれの面が結合する個所の全ての辺に設けられた内側方向に折るための折り曲げ線が有る。さらに、この長方形状の筒の上記の小水排泄容器本体の開口部との接合個所には、外側方向に折るための折り曲げ線が有る。
【発明の効果】
【００１７】
本発明にかかる病床等にて使用される携帯可能な折りたたみタイプの厚紙製小水排泄用容器と厚紙製小水排泄用容器の型紙は、以上のごとくになしたゆえに、上記の課題を解決して以下のごとき多大な効果が生じた。すなわち、常に清潔で、ローコストであり、ごみの問題も瓶製やプラスチック製に比して大変によいものとなった。その上に、この折りたたみタイプの厚紙製小水排泄用容器は、嵩張らないので保管や運搬に大変便利だけでなく、折り畳んで携帯することも可能でありその用途が広がった。
【発明を実施するための最良の形態】
【００１８】
小水排泄用容器を防水厚紙を切り抜き折り曲げて接合面を密着シールしたことにより、その制作が容易になると言う利点がある。そして、これは紙製で安価である故に、１週間程度の使用で捨てることができ、清潔性が保てる。その上に、その容器全体を折り畳むための折り曲げ線を入れたことにより、通常はその容器は折り畳んでおける故に、運搬や保管の容易さと携帯の容易さという目的を達成させた。
【実施例１】
【００１９】
しかして、本発明にかかる病床等にて使用される携帯可能な折りたたみタイプの厚紙製小水排泄用容器と厚紙製小水排泄用容器の型紙をその具体的な実施例を用いて添付の図面と共に詳細に述べる。この発明は図１に示すその正面図とその右側面断面図（図２）と図３と４のように、まず、小水排泄用紙容器本体１０がある。この小水排泄用紙容器本体１０は、厚さ 0.5ミリ程度の１枚の防水性厚紙を切り抜き中空の四角柱形状の容器に組み立てて、その接合個所を漏水防止状態に密着して形成されたものである。この防水性厚紙は、厚紙にポリエチレンやポリエステル等の薄膜の全面貼付やコーティングなどでの防水処理をしたものから成っている。そして、この小水排泄用紙容器本体１０の上部（具体的には、後述する上部容器面１７の一端）又はその上部付近（具体的には、後述する前部容器面１９の上部）に開口部１１を有するものである。
【００２０】
さらに、この小水排泄用紙容器本体１０には、その右側面１２と左側面１４の両側面にその両側面をその容器１０の内側方向に折り畳み込むための折り曲げ線（山線）がある。なお、ここでは、その左側面図（図２）のみ記載したが、その右側面図はこれに対称となるのでこの図２を参照にすればよい。しかして、本願図面においては、この折り曲げ線は、折り紙様式の谷線（点線）と山線（一点鎖線）で表した。この場合、その組み立てた状態と折り紙状態の展開図とではその折り曲げ方向の凹凸状態が逆になる。それで、その混乱を避けるために、その折り曲げ線の谷線と山線は、折り紙様式の展開図の方向で見た状態に統一してある。しかして、この内側方向に折り畳み込むための折り曲げ線は、その右側面１２と左側面１４の両側面のそれぞれの前方端部と後方端部の端部辺１２’、１２”、１４’、１４”の個所（図６を参照）を底辺としたそれぞれの２等辺三角形状の折り曲げ線（山線）とそれぞれ前後に向かい合ったその容器１０の三角形の頂点を結ぶそれぞれの折り曲げ線（山線）から成っている。
【００２１】
さらに、その左側面と右側面の両側面に外側方向に折るための折り曲げ線（山線）がある。この外側方向に折るための折り曲げ線は、上記の容器１０のそれぞれの２等辺三角形状の折り曲げ線のそれぞれの三角形の頂点から垂直に上方端又は下方端にそれぞれに伸びているものである。そして、その小水排泄用紙容器本体の上面又は下面にその両端面を外側方向に折り畳み込むための折り曲げ線（山線）が水平方向に伸びている。この水平方向の折り曲げ線は、上記のそれぞれの三角形の頂点から伸びた垂直の折り曲げ線の先端からそれぞれに伸びている。なお、本実施例では、上記の垂直の折り曲げ線は上方向に伸びている。しかし、これを下方向にした場合は、上記の水平の折り紙線は図４のようにその上部容器面１５（図４に示す平面図）ではなく、その底面に表れることになる。最後に、この中空の四角柱形状の容器１０には、それぞれの面が結合する個所の全ての辺に設けられた内側方向に折るための折り曲げ線（谷線）がある。
【００２２】
そして、排泄小水放尿紙筒２０がある。この排泄小水放尿紙筒２０は、上記の小水排泄用紙容器本体１０の開口部１１に漏水防止状態に密着接合されるものであって、厚さ 0.5ミリ程度の１枚の防水性厚紙を切り抜き長方形状の筒に組み立てて、その接合個所を漏水防止状態に密着して形成されたものである。この防水性厚紙も、厚紙にポリエチレンやポリエステル等の薄膜の全面貼付やコーティングなどでの防水処理をしたものから成っている。
【００２３】
さらに、この排泄小水放尿紙筒２０は、その右側面２１と左側面２３の両側面に内側方向に折り畳み込むための折り曲げ線（山線）がある。この折り曲げ線は、それぞれの側面の上記の小水排泄用紙容器本体１０に結合する個所２１’と２２”をそれぞれに底辺とした（図８を参照）その筒２０のそれぞれの２等辺三角形状の線から成り、そしてその筒２０のそれぞれの三角形の頂点からその側面２１と２３の伸びる水平方向に平行して伸びるそれぞれの折り曲げ線から成る。さらに、その筒２０の右側面２１と左側面２３の両側面に外側方向に折るための折り曲げ線（山線）がある。この外側方向に折るための折り曲げ線は、上記の筒２０のそれぞれの２等辺三角形状の折り曲げ線（山線）のそれぞれの三角形の頂点から垂直に上方端又は下方端にそれぞれに伸びているものである。
【００２４】
そして、その排泄小水放尿紙筒２０の上面又は下面にその両端面を外側方向に折り畳み込むための折り曲げ線（山線）が水平方向に伸びている。この水平方向の折り曲げ線は、上記の筒２０のそれぞれの三角形の頂点から伸びた垂直の折り曲げ線の先端から水平に伸びているものである。なお、本実施例では、上記の垂直の折り曲げ線は上方向に伸びている。しかし、これを下方向にした場合は、上記の水平の折り紙線は図４のようにその上部容器面２４（図４に示す平面図）ではなく、そのその底面に表れることになる。その上に、この長方形状の筒２０には、それぞれの面が結合する個所の全ての辺に設けられた内側方向に折るための折り曲げ線（谷線）が有る。さらに、この長方形状の筒２０の上記の小水排泄容器本体１０の開口部１１との接合個所には、外側方向に折るための折り曲げ線（山線）が有る。
【００２５】
最後に、取っ手３０がある。この取っ手３０は、上記の小水排泄用紙容器本体１０の上部容器面に接着されたものである。なお、この取って手３０は、その正面図と左側面断面図のみに記載して、その他の図面では省略した。しかして、上記および後述の密着漏水防止接合は、ポリエチレン等の熱可塑性の防水性のものを厚紙の表面にコーティングなどをしたものにおいては、そのままの状態であるいは必要により同質の接着剤をその接合個所に塗布して、加熱シールの接合により容易に可能である。
【実施例２】
【００２６】
つぎに、本発明にかかる病床等にて使用される携帯可能な折りたたみタイプの厚紙製小水排泄用容器と厚紙製小水排泄用容器の型紙の請求項２に記載した発明の病床等にて使用される携帯可能な折りたたみタイプの厚紙製小水排泄用容器の型紙の構成を説明する。この発明は、まず、小水排泄用紙容器本体１０の本体型紙１０ａがある。この小水排泄用紙容器本体１０の本体型紙１０ａは、厚さ 0.5ミリ程度の１枚の防水性厚紙を切り抜き中空の四角柱形状の容器に組み立てられて、その接合個所を漏水防止状態に密着して形成されるものであって、その上部又はその上部付近に開口部を有するように形状づけられ、その接合個所に密着漏水防止接合用ののりしろが設けられたものである。この防水性厚紙は、厚紙にポリエチレンやポリエステル等の薄膜の全面貼付やコーティングなどでの防水処理をしたものから成っている。
【００２７】
この小水排泄用紙容器本体１０の本体型紙１０ａは、具体的にはその小水排泄用紙容器本体１０の展開図である図５のようになっている。そして、その折り曲げ線の折り方は、図６に谷線と山線で示してある。しかして、まず、この小水排泄用紙容器本体１０の右側面容器面１２は、その型紙１０ａではその最上部の真ん中の部分で表されている。つぎに、その底部容器面１３が、その右側面容器面１２の下側に接続して位置している。そして、その左側面容器面１４が、その底部容器面１３の下側に接続して位置している。さらに、その上部容器面１５が、その左側面容器面１４の下側に接続して位置している。
【００２８】
さらに、この小水排泄用紙容器本体１０の底部容器面１３の右側には、前部容器面１６が接続して位置している。そして、後部容器面１７が上記のこの小水排泄用紙容器本体１０の底部容器面１３の左側に接続し定置している。最後に、各面１２と１４、１５、１６には、それぞれののりしろ１２ａ、１２ｂ、１２ｃ、１４ａ、１４ｂ、１５ａ、１６ａ、１６ｂがそれぞれに接続して位置している。こののりしろ１２ａ、１２ｂ、１４ａ、１４ｂには、それぞれにその三角形ののりしろの頂点からその底辺に向かって、その三角形を二等分する外側への折り曲げ線（山線）が設けられている。
【００２９】
そして、排泄小水放尿紙筒２０の紙筒型紙２０ａは、具体的にはその排泄小水放尿筒２０の展開図である図７のようになっている。そして、その折り曲げ線の折り方は、図８に谷線と山線で示してある。この排泄小水放尿紙筒２０の紙筒型紙２０ａは、上記の小水排泄用紙容器本体１０の本体型紙１０ａの開口部１１に漏水防止状態に密着接合されるものである。そして、これは、厚さ 0.5ミリ程度の１枚の防水性厚紙を切り抜き長方形状の筒に組み立てられて、その接合個所を漏水防止状態に密着して形成されるように形状づけられいる。この防水性厚紙も、厚紙にポリエチレンやポリエステル等の薄膜の全面貼付やコーティングなどでの防水処理をしたものから成っている。さらにこれは、その接合個所に、密着漏水防止接合用ののりしろが設けられたものである。
【００３０】
これは、具体的には図６のようになっている。しかして、まずこの排泄小水放尿等２０の右側面筒面２１は、その型紙２０ａではその最上部分の真ん中の太い横長の部分で表されている。つぎに、その底部筒面２２は、その右側面筒面２１の下側に接続して位置している。そして、その左側面筒面２３は、その底部筒面２３の下側に接続して位置している。さらに、その上部筒面２４が、その左側面筒面２３の下側に接続して位置している。最後に、それぞれの筒面２１〜２４には、密着接続用の筒部ののりしろ２１ａ、２１ｂ、２２ａ、２３ａ、２４ａが、それぞれに接続して位置している。
【実施例３】
【００３１】
上記の実施例１に述べた小水排泄用容器の排泄放尿紙筒２０は、その別な実施例として図１０に示す形状のものが実用的である。すなわちこれは、この排泄小水放尿紙筒２０を小水排泄用容器本体１０に対して実施例のように水平方向ではなく、斜め上方に向けてその小水排泄用容器本体１０に取り付けた形状の排泄小水放尿紙筒２００とした。これで、その排泄された小水が外にこぼれにくくしたものである。
【００３２】
そして、その排泄小水放尿紙筒２００の型紙２００ａは、具体的には図１１のようになっている。すなわち、まずこの排泄小水放尿等２００の右側面筒面２１０は、その型紙２００ａではその最上部分の真ん中の太い横長の部分で表されている。つぎに、その底部筒面２２０は、その右側面筒面２１０の下側に接続して位置している。そして、その左側面筒面２３０は、その底部筒面２３０の下側に接続して位置している。さらに、その上部筒面２４０が、その左側面筒面２３０の下側に接続して位置している。最後に、それぞれの筒面２１０〜２４０には、密着接続用の筒部ののりしろ２１０ａ、２１０ｂ、２２０ａ、２３０ａ、２４０ａが、それぞれに接続して位置している。
【実施例４】
【００３３】
しかして、上記の取っ手３０にかえて、図１０と図１２に示した取っ手３００としたものが実用的である。これは、１枚の厚紙を「コの字」上に折り曲げて図１０のように立てた状態にして使用するものであって、その容器を折り畳むときには図１１のように開いた状態にするものである。
【００３４】
斯様にして、本発明にかかる病床等にて使用される携帯可能な折りたたみタイプの厚紙製小水排泄用容器は、図９に示すごとくに折り畳むことができる。なお、上記の密着漏水防止接合個所が厚紙が３つの面が重なりで角を成す個所は弱く漏水しやすいので、乾燥時に可撓性を保つ接着剤を塗布して補強するとよい。
【産業上の利用可能性】
【００３５】
環境問題を解決し、衛生的でコスト安の医療用具分野の紙容器としての利用がはかれる。さらには、折りたたみが可能なので、携帯用の分野にも利用が可能となった。
【図面の簡単な説明】
【００３６】
【図１】本発明にかかる病床等にて使用される携帯可能な折りたたみタイプの厚紙製小水排泄用容器の一実施例の正面を示したものである。
【図２】図１のものの右側面断面図である。
【図３】図１のものの左側面図を示したものである。
【図４】図１のものの平面図である。
【図５】図１のものの小水排泄用紙容器本体の展開図を示したものである。
【図６】図５のものの折り紙様式の折り曲げ線入り展開図である。
【図７】図１のものの排泄小水放尿紙筒の展開図である。
【図８】図７のものの折り紙様式の折り曲げ線入り展開図である。
【図９】図１のものを折り畳んだ状態の左側面図を示したものである。
【図１０】図１のものの別な実施例の左側面図を示したものである。
【図１１】図１０のものの排泄小水放尿紙筒の展開図である。
【図１２】図１０のものの平面図である。
【符号の説明】
【００３７】
１０  小水排泄用紙容器本体
10ａ  本体型紙
１１  開口部
１２  右側面容器面
12ａ  のりしろ
12ｂ  のりしろ
12ｃ  のりしろ
１３  底部容器面
１４  左側面容器面
14ａ  のりしろ
14ｂ  のりしろ
１５  上部容器面
15ａ  のりしろ
１６  前部容器面
16ａ  のりしろ
16ｂ  のりしろ
１７  後部容器面
２０  排泄小水放尿筒
20ａ  紙筒型紙
２１  右側面筒面
２２  底部筒面
２３  左側面筒面
２４  上部筒面
２１ａ、２１ｂ、２２ａ、２３ａ、２４ａ  のりしろ
200   排泄小水放尿筒
200ａ 紙筒型紙
【図１】
2007105276.tif 000003
【図２】
2007105276.tif 000004
【図３】
2007105276.tif 000005
【図４】
2007105276.tif 000006
【図５】
2007105276.tif 000007
【図６】
2007105276.tif 000008
【図７】
2007105276.tif 000009
【図８】
2007105276.tif 000010
【図９】
2007105276.tif 000011
【図１０】
2007105276.tif 000012
【図１１】
2007105276.tif 000013
【図１２】
2007105276.tif 000014
【手続補正書】
【提出日】平成17年10月17日(2005.10.17)
【手続補正１】
【補正対象書類名】明細書
【補正対象項目名】０００４
【補正方法】変更
【補正の内容】
【０００４】
そこで、この  小水排泄用容器を防水性の厚紙で作成したものを発明して、平成１７年１０月７日に特許出願をした（特願２００５−２９４６８３）。ただし、この発明は、組み立てられたものは立体形状のままであるゆえにかさばってしまう。しかして、この製品は紙製なので、丁度デパートなどの紙袋の様に小水排泄用容器紙に折り曲げ線を入れると、その容器は折りたたみができる様になる。それで、折り畳んだその容器の運搬や保管に便利であるばかりか、携帯ができるのでその用途は広がる。
【手続補正２】
【補正対象書類名】明細書
【補正対象項目名】００３３
【補正方法】変更
【補正の内容】
【００３３】
しかして、上記の取っ手３０にかえて、図１０と図１２に示した取っ手３００としたものが実用的である。これは、１枚の厚紙を「コの字」を立てた状態に折り曲げて図１０のようにして使用するものであって、その容器を折り畳むときには図１２のように開いた状態にするものである。